(57)【要約】【課題】  ウェブ文書構成装置および方法とウェブ文書配列設定装置を提供して、ユーザに便利なウェブサービスを提供する。【解決手段】  ウェブ文書のソースを分析して複数のフレームを生成する生成部と、前記生成されたフレームを所定配列方式に従って順次配列する構成部と、前記配列されたフレームを画面に出力する出力部とを含む。【選択図】  図２
2008071353.tif 000002
【特許請求の範囲】
【請求項１】
ウェブ文書のソースを分析して複数のフレームを生成する生成部と、
前記生成されたフレームを所定配列方式に従って順次配列する構成部と、
前記配列されたフレームを画面に出力する出力部とを含む、ウェブ文書構成装置。
【請求項２】
前記構成部は、
前記生成されたフレームのタイトルが互いにオーバラップしないように配列し、前記配列方式は、階段式、サムネイル、およびツリー形式のうちいずれか１つである請求項１に記載のウェブ文書構成装置。
【請求項３】
前記構成部は、
前記配列されたフレームのうちいずれか１つが選択された場合、前記選択されたフレームを最も前に配置し、前記選択されたフレームより前に配置されていたフレームは最も後に配置する請求項１に記載のウェブ文書構成装置。
【請求項４】
前記出力部は、
前記配列されたフレームを前記画面の大きさに合わせて所定の数で出力し、前記配列されたフレームが前記画面に出力され得る数を超過する場合には、超過するフレームについて前記画面の所定位置にタブ形式でまとめて表示する、請求項１に記載のウェブ文書構成装置。
【請求項５】
前記構成部は、
前記タブが選択された場合、前記タブに含まれる複数のフレームを前記画面に階段式に配列する請求項４に記載のウェブ文書構成装置。
【請求項６】
前記生成部は、
前記生成されたフレーム内の情報を分析して、前記情報をコンテンツの種類別に分類する分類部を含む請求項１に記載のウェブ文書構成装置。
【請求項７】
前記生成部は、
前記分類されたコンテンツの種類によって、コンテンツのサイズおよび解像度のうち少なくともいずれか１つを変更する調節部をさらに含む請求項６に記載のウェブ文書構成装置。
【請求項８】
前記生成部は、
段落を分けるタグを検索して、段落開始タグおよび前記段落開始タグと対をなす段落終了タグの間の情報をフレーム単位で生成する請求項１に記載のウェブ文書構成装置。
【請求項９】
ウェブ文書のソースを分析して生成された複数のフレームに対して、画面に配列する方式を設定することができるように、所定の設定メニューを提供するメニュー提供部と、
前記複数のフレームのタイトルが互いにオーバラップしないように前記設定された配列方式に従って順次配列する配列部と、
前記配列されたフレームを画面に出力するディスプレイ部とを含む、ウェブ文書配列設定装置。
【請求項１０】
前記配列方式には、階段式、サムネイル、および、ツリー形式のうちいずれか１つの配列を含む請求項９に記載のウェブ文書配列設定装置。
【請求項１１】
前記メニュー提供部は、
前記配列されたフレームが前記画面に出力され得る数を超過する場合、超過するフレームについて前記画面の所定位置にタブ形式でまとめて表示できるように設定メニューを提供する請求項１０に記載のウェブ文書配列設定装置。
【請求項１２】
ウェブ文書のソースを分析して複数のフレームを生成する生成部と、
前記生成されたフレームに対して、画面に配列する方式を設定することができるように所定の設定メニューを提供するメニュー提供部と、
前記設定された配列方式に従って前記生成されたフレームを順次配列する構成部と、
前記配列されたフレームを画面に出力する出力部とを含み、前記配列方式は階段式、サムネイル、および、ツリー形式のうちいずれか１つであり、前記生成されたフレームのタイトルは互いにオーバラップしないように配列され、前記配列されたフレームが前記画面に出力され得る数を超過する場合、超過するフレームは前記画面の所定位置にタブ形式でまとめて表示される、ウェブ文書構成装置。
【請求項１３】
ウェブ文書のソースを分析して複数のフレームを生成するステップと、
前記生成されたフレームを所定配列方式に従って順次配列するステップと、
前記配列されたフレームを画面に出力するステップとを含む、ウェブ文書構成方法。
【請求項１４】
前記配列するステップは、
前記生成されたフレームのタイトルが互いにオーバラップしないように配列し、前記配列方式は階段式、サムネイル、および、ツリー形式のうちいずれか１つである請求項１３に記載のウェブ文書構成方法。
【請求項１５】
前記配列するステップは、
前記配列されたフレームのうちいずれか１つが選択された場合、前記選択されたフレームを最も前に配置し、前記選択されたフレームより前に配置されていたフレームは最も後に配置する請求項１３に記載のウェブ文書構成方法。
【請求項１６】
前記出力するステップは、
前記配列されたフレームを前記画面の大きさに合わせて所定の数で出力し、前記配列されたフレームが前記画面に出力され得る数を超過する場合には、超過するフレームについて前記画面の所定位置にタブ形式でまとめて表示する請求項１３に記載のウェブ文書構成方法。
【請求項１７】
前記配列するステップは、
前記タブが選択された場合、前記タブに含まれる複数のフレームを前記画面に階段式に配列する請求項１６に記載のウェブ文書構成方法。
【請求項１８】
前記生成するステップは、
前記生成されたフレーム内の情報を分析して、前記情報をコンテンツの種類別に分類するステップを含む請求項１３に記載のウェブ文書構成方法。
【請求項１９】
前記生成するステップは、
前記分類されたコンテンツの種類によって、コンテンツのサイズおよび解像度のうち少なくともいずれか１つを変更するステップをさらに含む請求項１８に記載のウェブ文書構成方法。
【請求項２０】
生成するステップは、
段落を分けるタグを検索して、段落開始タグおよび前記段落開始タグと対をなす段落終了タグの間の情報をフレーム単位で生成する請求項１３に記載のウェブ文書構成方法。
【請求項２１】
ウェブ文書のソースを分析して生成された複数のフレームに対して、画面に配列する方式を設定することができるように所定の設定メニューを提供するステップと、
前記複数のフレームのタイトルが互いにオーバラップしないように前記設定された配列方式に従って順次配列するステップと、
前記配列されたフレームを画面に出力するステップとを含む、ウェブ文書配列設定方法。
【請求項２２】
前記配列方式には、階段式、サムネイル、および、ツリー形式のうちいずれか１つの配列を含む請求項２１に記載のウェブ文書配列設定方法。
【請求項２３】
前記設定メニューを提供するステップは、
前記配列されたフレームが前記画面に出力され得る数を超過する場合、超過するフレームについて前記画面の所定位置にタブ形式でまとめて表示できるように設定メニューを提供するステップをさらに含む請求項２２に記載のウェブ文書配列設定方法。
【請求項２４】
複数のフレームを画面に配列する所定フレーム配列モードを設定するメニュー提供部をさらに含む請求項１に記載のウェブ文書配列設定方法。
【請求項２５】
ウェブ文書のソースを分析し生成する複数のフレームを画面に配列するステップ、および
前記配列されたフレームの個数が前記画面にディスプレイされ得るフレームの個数を超過する場合、前記画面にディスプレイするための前記負食う数のフレームを少なくとも一つのタブでグルーピングするステップを含むウェブ文書配列設定方法。
【発明の詳細な説明】
【技術分野】
【０００１】
本発明は、ウェブ文書構成装置および方法とウェブ文書配列設定装置に関し、より詳しくは、制限される画面を有する機器にウェブ文書を効率的に出力するウェブ文書構成装置および方法とウェブ文書配列設定装置に関するものである。
【背景技術】
【０００２】
最近ＰＣ以外にも携帯電話、ＰＤＡ、インターネットＴＶ、スマートフォン、ウェブスクリーンフォン、自動車のナビゲータなどウェブサービスを提供する機器が増えている。ウェブサービスは、有無線でユーザ機器にＨＴＭＬ、ＸＭＬ、スクリプトなどの言語によってウェブ文書を提供する。一般的に図１に示すようにウェブ文書１０は、テキストとテキスト以外の動画、絵ファイルなどのコンテンツを含んでいる。しかし、ユーザが携帯電話のような小型画面でウェブ文書１０を見る時に制限される画面のために多くの不便が伴う。したがって、制限される大きさを有する機器の画面にウェブ文書の情報を効率的に配列して、ユーザに便利なウェブサービスを提供する必要性が提起される。
【特許文献１】日本公開特許第２００４−８０４７９号公報
【発明の開示】
【発明が解決しようとする課題】
【０００３】
本発明は、ウェブ文書構成装置および方法とウェブ文書配列設定装置を提供し、ユーザに便利なウェブサービスを提供することにその目的がある。
【０００４】
本発明の目的は、以上で言及した目的に制限されず、言及していないまた他の目的は下記記載によって当業者が明確に理解できるものである。
【課題を解決するための手段】
【０００５】
前記目的を達成するために、本発明の一態様に係るウェブ文書構成装置は、ウェブ文書のソースを分析して複数のフレームを生成する生成部と、前記生成されたフレームを所定配列方式に従って順次配列する構成部と、前記配列されたフレームを画面に出力する出力部とを含む。
【０００６】
本発明の他の態様に係るウェブ文書構成装置は、ウェブ文書のソースを分析して複数のフレームを生成する生成部と、前記生成されたフレームに対して画面に配列する方式を設定することができるように所定の設定メニューを提供するメニュー提供部と、前記設定された配列方式に従って前記生成されたフレームを順次配列する構成部と、前記配列されたフレームを画面に出力する出力部とを含み、前記配列方式は階段式（ｃａｓｃａｄｅ）、サムネイル、および、ツリー形式のうちいずれか１つであり、前記生成されたフレームのタイトルは互いにオーバラップしないように配列され、前記配列されたフレームが前記画面に出力され得る数を超過する場合、超過するフレームは前記画面の所定位置にタブ形式でまとめて表示される。
【０００７】
本発明のまた他の態様に係るウェブ文書配列設定装置は、ウェブ文書のソースを分析して生成された複数のフレームに対して、画面に配列する方式を設定することができるように所定の設定メニューを提供するメニュー提供部と、前記複数のフレームのタイトルが互いにオーバラップしないように前記設定された配列方式に従って順次配列する配列部と、前記配列されたフレームを画面に出力するディスプレイ部とを含む。
【０００８】
本発明の実施形態によるウェブ文書配列設定方法は、ウェブのソースを分析して生成された複数のフレームを画面に配列するステップ、および前記配列されたフレーム個数が前記画面にディスプレイされ得るフレームの個数を超過する場合、前記画面にディスプレイするために前記複数のフレームを少なくとも一つのタブでグルーピングするステップを含む。
【発明の効果】
【０００９】
上記のような本発明のウェブ文書構成装置および方法とウェブ文書配列設定装置によれば、次のような効果が１つあるいはそれ以上ある。
【００１０】
第１に、制限される画面を有する機器にウェブ文書を効率的に出力できる利点がある。
第２に、ユーザの便宜によりウェブ文書の配列方法を選択できる利点もある。
【発明を実施するための最良の形態】
【００１１】
その他、実施形態の具体的な事項は、詳細な説明および図面に含まれている。
【００１２】
本発明の利点および特徴、そしてそれらを達成する方法は、添付する図面と共に詳細に後述する実施形態を参照すれば明確になる。しかし、本発明は以下にて開示する実施形態に限定されず、互いに異なる多様な形態によって実施され、単に本実施形態は本発明の開示が完全なものとなるようにし、本発明が属する技術分野で通常の知識を有する者に発明の範疇を完全に知らせるために提供されるものであって、本発明は請求項の範疇によってのみ定義されるものである。明細書の全体に亘り、同一参照符号は同一構成要素を示す。
【００１３】
以下、添付された図面を参照して、本発明の好ましい実施形態を詳細に、説明することにする。
【００１４】
図２は、本発明の一実施形態に係るウェブ文書構成装置のブロック図である。
ウェブ文書構成装置２００は、生成部２１０、構成部２２０、および出力部２３０を含み、前記生成部２１０は、分類部２１３および調節部２１６を含む。
【００１５】
生成部２１０は、ウェブ文書のソースを分析して複数のフレームを生成する。フレームは、ウェブ文書の内容を含んでいる所定サイズのウィンドウを意味する。より具体的には、生成部２１０は、ウェブ文書のソースで段落を分けるタグを検索して、段落開始タグおよび前記段落開始タグおよび前記段落開始タグと対をなす段落終了タグの間の情報をまとめて、１つのフレーム単位で生成することができる。例えば、前記段落を区分するタグを“＜ｄｉｖ＞”タグと定めた場合、段落開始タグ“＜ｄｉｖ＞”と段落終了タグ“＜／ｄｉｖ＞”との間の情報をまとめて、フレーム単位で生成することができる。そして、さらに細部的に生成部２１０は、“＜ｄｉｖ＞…＜／ｄｉｖ＞”タグ内に“＜ｔａｂｌｅ＞”タグを用いるサブ段落が存在する場合、サブ段落別に前記フレームを生成することもできる。前記段落を分けるタグは“＜ｄｉｖ＞”、“＜ｐ＞”、“＜ｔａｂｌｅ＞”等ウェブサービスを提供する言語により多様であり、予めいずれか１つによって定義される。
【００１６】
そして、生成部２１０は、フレーム単位でまとめた情報を用いて、フレームのタイトルを生成することができる。例えば、生成部２１０は、フレーム単位でまとめた情報のうち最も頻繁に用いられる単語または文章をフレームのタイトルとして定義できる。また、生成部２１０は、段落開始タグで最初に用いられる単語または文章をフレームのタイトルとして定義できる。このような方法によって、生成部２１０は、生成されたフレームのタイトルによってフレーム単位ごとに代表される主題が選ばれるようにする。
【００１７】
一方、分類部２１３は、生成されたフレーム内の情報を分析して、前記情報をコンテンツの種類別に分類する。分類されたコンテンツは、テキスト、動的イメージ、および静的イメージのうちいずれか１つの形態を含む。そして調節部２１６は、分類されたコンテンツの種類によってフォントの大きさ、コンテンツのサイズ、および解像度のうち少なくともいずれか１つを変更する。例えば、イメージのサイズおよび解像度が縮小された場合、コンテンツの容量が減少してウェブ文書の速い出力が可能である。
【００１８】
構成部２２０は、生成されたフレームを所定配列方式に従って順次配列する。配列方式には、階段式、サムネイル、およびツリー形式のうちいずれか１つの配列がある。この時、生成されたフレームのタイトルが互いにオーバラップしないように配列されることが好ましい。そして、構成部２２０は、配列されたフレームのうちいずれか１つが選択された場合、選択されたフレームを最も前に配置し、選択されたフレームより前に配置されていたフレームは最も後に配置させる。
【００１９】
出力部２３０は、配列された複数のフレームを画面に出力する。出力部２３０は、配列されたフレームを画面の大きさに合わせて所定の数で出力し、配列されたフレームが画面に出力され得る数を超過する場合には、超過するフレームについて画面の所定位置にタブ形式でまとめて表示できる。また、構成部２２０は、タブが選択された場合タブに含まれる複数のフレームを再び画面に階段式に配列して出力部２３０を介して出力する。
【００２０】
一方、ユーザは、フレームの配列方式を図３で後述するウェブ文書配列設定装置によって選択することができる。以下、より具体的に説明する。
【００２１】
図３は、本発明の一実施形態に係るウェブ文書配列設定装置のブロック図である。
ウェブ文書配列設定装置３００は、メニュー提供部３１０、配列部３２０、およびディスプレイ部３３０を含む。
【００２２】
メニュー提供部３１０は、ウェブ文書のソースを分析して生成されたフレームに対して、画面に配列する方式を設定することができるように所定の設定メニューを提供する。設定メニューは階段式、サムネイル、およびツリー形式のうちいずれか１つの配列方式を設定することができるようにユーザに提供することができる。しかし本発明はこれらに限定されず、他の形態の配列方式を用いることもできる。この時、好ましくは、デフォルトで配列方式が階段式に設定された状態であることもできる。
【００２３】
また、メニュー提供部３１０は、複数のフレームが画面に出力され得る数を超過する場合、超過するフレームについて画面の所定位置に縮小されたウィンドウ形態のタブでまとめて表示できるように設定メニューを提供する。すなわち、ユーザが設定メニューでタブを選択した場合、超過するフレームについてはタブ形式でまとめて画面に出力する。
【００２４】
配列部３２０は、複数のフレームを前記設定された配列方式に従って順次配列する。配列部３２０は、前記複数のフレームのタイトルが互いにオーバラップしないように配列する。
【００２５】
ディスプレイ部３３０は、配列されたフレームを画面に出力する。ディスプレイ部３３０は、タブが設定された場合、複数のフレームが画面に出力される数を超過すれば、超過するフレームについて画面の所定位置にタブ形式でまとめて表示する。
【００２６】
図３の構成要素は、前記図２に説明したウェブ文書構成装置に含まれ得る。この時、図２の構成部２２０は、図３のメニュー提供部３１０に設定された配列方式に従って生成されたフレームを配列するようになり、図３の配列部３２０およびディスプレイ部３３０を省略することができる。
【００２７】
図２および図３に示す各々の構成要素は、一種の「モジュール」によって構成されることができる。前記「モジュール」は、ソフトウェア、ＦＰＧＡ（フィールドプログラマブルゲートアレイ）または特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、モジュールはある機能を行う。ただし、モジュールはソフトウェアまたはハードウェアに限定される意味ではない。モジュールは、アドレッシングできる格納媒体にあるように構成することもでき、１つまたはそれ以上のプロセッサを再生させるように構成することもできる。したがって、一例としてモジュールはソフトウェア構成要素、オブジェクト指向ソフトウェア構成要素、クラス構成要素およびタスク構成要素のような構成要素と、プロセス、関数、属性、プロシージャ、サブルーチン、プログラムコードのセグメント、ドライバ、ファームウェア、マイクロコード、回路、データ、データベース、データ構造、テーブル、アレイ、および変数を含む。構成要素とモジュールの中で提供されている機能は、さらに小さい数の構成要素およびモジュールに結びついたり追加的な構成要素とモジュールとにさらに分離したりできる。
【００２８】
図４は、本発明の一実施形態に係る構成する方法のフローチャートである。図４に示されたプロセスは、前記図２を参照して説明したウェブ文書構成装置２００によって実行できる。
【００２９】
先ず、生成部２１０は、ウェブ文書のソースを分析して複数のフレームを生成する（Ｓ４０１）。ウェブ文書は、ＨＴＭＬ（Ｈｙｐｅｒ  Ｔｅｘｔ  Ｍａｒｋｕｐ  Ｌａｎｇｕａｇｅ）基盤の多様な言語によって作成されている。例えば、生成部２１０は、ＨＴＭＬ基盤のウェブ文書のソースにおいて“＜ｄｉｖ＞”タグを検索し、該当タグと対をなす“＜／ｄｉｖ＞”タグまでの情報をフレーム単位で生成することができる。生成されたフレーム内の情報は、コンテンツの種類別に分類され、コンテンツの種類によってコンテンツのサイズおよび解像度が縮小されてコンテンツの容量が減少する。
【００３０】
そして、構成部２２０は、生成されたフレームを所定配列方式に従って順次配列する（Ｓ４１１）。配列方式には、階段式、サムネイル、およびツリー形式のうちいずれか１つの配列がある。この時、生成されたフレームのタイトルは、互いにオーバラップしないように配列されることが好ましい。
【００３１】
次のステップで、出力部２３０は、配列されたフレームを画面に出力する（Ｓ４２１）。この時、配列されたフレームが画面に出力され得る数を超過する場合には、出力部２３０は超過するフレームについて画面の所定位置にタブ形式でまとめて表示することができる。
【００３２】
図５は、本発明の一実施形態に係るウェブ文書出力設定方法のフローチャートである。図５に示すプロセスは、前記図３を参照して説明したウェブ文書の配列設定装置３００によって実行することができる。
【００３３】
メニュー提供部３１０は、ウェブ文書のソースを分析して生成されたフレームに対して、画面に配列する方式を設定することができるように所定の設定メニューを提供する（Ｓ５０１）。
配列部３２０は、複数のフレームを前記設定された配列方式に従って順次配列する（Ｓ５１１）。
ディスプレイ部３３０は、配列されたフレームを画面に出力する（Ｓ５２１）。
【００３４】
図６および図７は、本発明の一実施形態に係るウェブ文書においてフレームを生成する例を示す。
図６に示すように、ウェブ文書は一般的に主題別に段落６０２，６０４，６０６が区分されている。そして、ウェブ文書のソースには前記段落を分けるタグを含んでおり、生成部２１０は、段落を分けるタグを用いてウェブ文書のソースで複数のフレームを生成することができる。
【００３５】
例えば、図７に示すように、段落を区分するタグが“＜ｔａｂｌｅ＞”タグ７０２によって定義される場合、生成部２１０は段落開始タグ“＜ｔａｂｌｅ＞”と段落終了タグ“＜／ｔａｂｌｅ＞”との間の情報をまとめて、フレーム単位で生成することができる。
【００３６】
そして生成部２１０は、フレーム単位でまとめた情報を用いて、フレームのタイトルを生成することができる。例えば、生成部２１０は、図７において“＜ｔｒ＞”タグ７０４の文章（すなわち「お気に入り」）をフレームのタイトルに定義できる。
【００３７】
この時、図６に示すように、前記フレーム単位でまとめた情報内にはテキスト、動的イメージ、および静的イメージ６０８等のコンテンツが含まれている。分類部２１３は、前記コンテンツを種類別に分類して、調節部２１６は分類されたコンテンツの種類によって、コンテンツのサイズおよび解像度を変更する。例えば、ウェブ文書のソースで“．ｊｐｇ”、“．ｇｉｆ”等の拡張子を有するイメージは、大きさおよび解像度が変更されたり、機器内部に格納された所定のアイコンで代替されたりしてフレームに表示される。
【００３８】
図８および図９は、本発明の一実施形態に係るフレームを画面に配列した例を示す。
図８に示すように、生成されたフレーム８０２は、フレームのタイトルが互いにオーバラップして被さらないよう、階段式に順次配列される。したがって、ユーザは、ウェブ文書の全体的な内容および構成を容易に把握でき、所望するウェブ文書を配列されたフレームで選択して移動することができる。この時、構成部２２０は配列されたフレームのうちいずれか１つが選択された場合、選択されたフレームを最も前に配置し、選択されたフレームより前に配置されていたフレームは最も後に配置させる。例えば、タイトル３で表記されたフレーム８０６をユーザがクリックすれば、タイトル１およびタイトル２で表記されたフレーム８０８，８１０は最も後に押し出される。そして、タイトル３で表記されたフレーム８０６が最も前に引き出され、また、タイトル３で表記されたフレーム８０６の後に配置されていたフレームが共に前に引き出される。
【００３９】
また、図８に示すように（Ａ）方向にユーザがボタンまたはスクロール機能を用いて前から後にフレーム間に移動すれば、後に配置されていたフレームは前に引き出され、前に配置されていたフレームは後に押し出される。
【００４０】
以外にも、図９に示すように、生成されたフレーム８０２は、サムネイル９０２またはツリー形式９０４で配列される。サムネイル９０２形式は、生成されたフレーム８０２が画面の大きさに合わせて所定サイズのブロック形式で配列されることを意味する。そして、ツリー形式９０４は、親フレーム内の子フレームをツリー形式で配列することを意味する。例えば、段落を区分するタグが“＜ｔａｂｌｅ＞”によって定義された場合、生成部２１０は段落開始タグ“＜ｔａｂｌｅ＞”と段落終了タグ“＜／ｔａｂｌｅ＞”との間の情報をまとめて、フレーム単位で生成する。この時、“＜ｔａｂｌｅ＞”タグ（親フレーム９０１）内に含まれた、異なる“＜ｔａｂｌｅ＞”タグ（子フレーム９０３）が存在する場合、親フレーム９０１の子フレーム９０３として定義され、子フレーム９０３が親フレーム９０１の下位階層に配列される。一般的に、ウェブ文書が主題別に段落が分けられており、また、段落内に前記主題にともなう細部的な副主題が段落別に構成されている。したがって、ツリー構造はユーザにウェブ文書の内容および構造をより容易に把握して、所望するウェブ文書を容易に選択することができるように便利性を提供する。この時、ツリー構造に広げる前の状態表示９０５が出力され、親フレームに複数の子フレームがまとめられていることを表示することができる。また、ユーザがツリー構造に広げる前の状態表示９０５をクリックした場合、ツリー構造に広げられるように構成することができる。
【００４１】
一方、図８に示すように、フレームが多すぎて、画面に収容される数を超過する場合には、画面の所定位置にタブ８０４形式によって超過するフレームがまとめられて表示される。例えば、画面にフレームのタイトルがオーバラップせずに出力される数が１０個である場合、超過するフレームは１０個単位でまとめられてタブ８０４形式で表示される。ユーザが表示されたタブ８０４のうち所望するタブ８０４を選択すれば、選択されたタブ８０４にまとめられたフレームは再び画面に階段式に配列される。
【００４２】
以上、添付した図面を参照して本発明の実施形態を説明したが、本発明が属する技術分野で通常の知識を有する者であれば、本発明がその技術的思想や必須の特徴を変更せず、他の具体的な形態によって実施することができるということを理解できる。したがって、以上で記述した実施形態はすべての面で例示的なものであり、限定的なものではないことを理解しなければならない。
【図面の簡単な説明】
【００４３】
【図１】ウェブ文書を示す。
【図２】本発明の一実施形態に係るウェブ文書構成装置のブロック図である。
【図３】本発明の一実施形態に係るウェブ文書配列設定装置のブロック図である。
【図４】本発明の一実施形態に係る構成する方法のフローチャートである。
【図５】本発明の一実施形態に係るウェブ文書出力設定方法のフローチャートである。
【図６】本発明の一実施形態に係るウェブ文書でフレームを生成する例を示す。
【図７】本発明の一実施形態に係るウェブ文書でフレームを生成する例を示す。
【図８】本発明の一実施形態に係るフレームを画面に配列した例を示す。
【図９】本発明の一実施形態に係るフレームを画面に配列した例を示す。
【符号の説明】
【００４４】
２００      ウェブ文書構成装置
２１０      生成部
２１３      分類部
２１６      調節部
２２０      構成部
２３０      出力部
３００      ウェブ文書配列設定装置
３１０      メニュー提供部
３２０      配列部
３３０      ディスプレイ部
【図１】
2008071353.tif 000003
【図２】
2008071353.tif 000004
【図３】
2008071353.tif 000005
【図４】
2008071353.tif 000006
【図５】
2008071353.tif 000007
【図６】
2008071353.tif 000008
【図７】
2008071353.tif 000009
【図８】
2008071353.tif 000010
【図９】
2008071353.tif 000011